(57)【要約】      （修正有）【課題】ペット用ケージの格子の線材の太さや間隔等を問わず、前記格子に装着できるペットトイレ用トレイを提供する。【解決手段】ペットトイレ用トレイ１０は、長方形のトレイ本体１２の一方の主面１２Ａにトイレシート１８を着脱可能に保持する開閉枠１４を備える。他方の主面１２Ｂの４隅近傍には、４つのフック２０〜５０が設けられている。これらフックは、略半円状のフック本体と、軸部と、その外周部に設けられたリング状の突起により構成される。前記主面１２Ｂには、前記軸部を回転可能に受ける筒状の受部が設けられており、該受部の外周面には、前記突起を収納するリング状の突起収容部が形成されている。フック２０〜５０は、フック本体の向きを回転させることで、ケージを構成する横線材や縦線材にトレイ１０を係止する。【選択図】図１
2018153149.tif 000002
【特許請求の範囲】
【請求項１】
ペット用ケージに取り付けられるペットトイレ用のトレイであって、
ペットトレイ用のシートを着脱可能に保持するトレイ本体と、
該トレイ本体の一方の主面側に設けられており、前記シートを着脱可能に保持するシート保持手段と、
前記トレイ本体の他方の主面側に設けられており、前記ケージの格子を構成する線材に係合する複数のフック手段と、
を備えるとともに、
前記複数のフック手段が、
前記トレイ本体に対して可動であることを特徴とするペットトイレ用トレイ。
【請求項２】
前記フック手段が、
前記ケージの格子を構成する線材に係合するフック本体と、
該フック本体に対して略直交する軸部と、
を有しており、
前記トレイ本体の他方の主面側に、
前記軸部を回転可能に支持する筒状の受部、
を設けたことを特徴とする請求項１記載のペットトイレ用トレイ。
【請求項３】
前記フック手段が、
前記ケージの格子を構成する線材に係合するフック本体と、
該フック本体に対して略直交する軸部と、
該軸部に対して略直交し、該軸部よりも面積が大きい可動部と、
を有しており、
前記トレイ本体の他方の主面側に、
前記可動部を、前記格子を構成する線材の延長方向と同方向にスライド可能に支持するレール状の受部、
を設けたことを特徴とする請求項１記載のペットトイレ用トレイ。
【請求項４】
前記受部に、
前記可動部を前記受部の延長方向に沿って付勢する付勢手段を設けたことを特徴とする請求項３記載のペットトイレ用トレイ。
【請求項５】
前記レール状の受部が、略平行に一対設けられ、
前記フック本体が、前記一対のレール状の受部の両端にそれぞれ一対設けられていることを特徴とする請求項３又は４記載のペットトイレ用トレイ。
【請求項６】
前記一対のフック本体のうちの一方が、前記トレイ本体に対してスライド可能であり、
前記一対のフック本体のうちの他方が、前記受部に対して固定であることを特徴とする請求項５記載のペットトイレ用トレイ。
【請求項７】
前記受部に対して固定であるフック本体の先端に、ローラを設けたことを特徴とする請求項３〜６のいずれか一項に記載のペットトイレ用トレイ。
【請求項８】
前記一対のレール状の受部が、延長方向に複数に分割されており、該分割された各受部のそれぞれに前記フック本体が設けられていることを特徴とする請求項３又は４記載のペットトイレ用トレイ。
【請求項９】
前記複数のフック本体のうち、少なくとも一つが、前記トレイ本体に対して回転可能であることを特徴とする請求項３〜８のいずれか一項に記載のペットトイレ用トレイ。
【発明の詳細な説明】
【技術分野】
【０００１】
本発明は、ペットのトイレシート用のトレイに関するものであり、更に具体的には、ケージへの取り付けに適したペットトイレ用トレイに関するものである。
【背景技術】
【０００２】
雄用のペットトイレに関し、排尿の飛び散りを防ぐための様々な縦型のトイレが考案されている。例えば、下記特許文献１には、板状の土台部と該土台部の奥側端部から立設する壁部とを有するトイレ本体、及びトイレ本体に取り付ける吸収体を有する吸水性シートを具備するペット用トイレであって、前記トイレ本体は、前記壁部における前記土台部側と反対側の自由端部から手前に張り出す上側張出部と、前記壁部における前記土台部寄りの部分から手前に張り出す下側張出部とを有し、該上側張出部は、該下側張出部よりも手前側に張り出しており、前記吸収性シートは、前記上側張出部及び前記下側張出部を介して、前記トイレ本体に取り付けられ、該トイレ本体の前記壁部に取り付けられた該吸水性シートは、その上端部側が手前に張り出し傾斜しているペット用トイレが開示されている。
【０００３】
また、下記特許文献２には、縦型の部分が２面のペット用トイレが開示されている。当該技術のペット用トイレは、ペットが放される包囲体内のコーナー部に配置され、同包囲体内のコーナー部で排便・排尿する習性を有するペット用トイレであって、前記包囲体のコーナー部に略沿った形状のコーナー部を有する受皿と、同受皿の上面を覆うように同受皿上面に載置され、同載置状態において前記受皿の前記包囲体のコーナー部と隣接するコーナー部寄り部分が露出されるとともに、表裏方向に貫通する多数の貫通孔を有する蓋部材と、薄板材から構成され、前記受皿上に配置されて同受皿のコーナー部寄り部分において外部に露出されるとともに同受皿のコーナー部から離間した部分において前記蓋部材によって覆われる便受け部と、同便受け部基部側にて上方に向かって立設された衝立部とを有する交換シートとを備えていることが開示されている。
【０００４】
更に、下記特許文献３には、縦型の部分が３面のペットの糞尿ガードが開示されている。当該技術によれば、板状の部材に切れ目又は切り込みや連結部材等を設けることで、複数枚の板状の部材の連結や取り外しを自由自在とすることが開示されている。
【０００５】
しかしながら、このような置き型トイレをケージの中に設置した場合、見知らぬ人がきたときに犬がケージの中であばれたり、家族が帰宅したときにも嬉しさのあまりケージの中をはしゃぎ回ったりして、立て掛けたトイレが倒れたり、トイレの設置位置が変わったりすることがある。
【０００６】
トイレの位置を固定するために、例えば、フックによるケージへの取り付けが考えられる。下記特許文献４は、猫用ケージのケージパネルの横線材に係止可能な係止フックを有する猫用踏み台を、前記係止フックを用いてケージパネルに取り付けることが開示されている。
【先行技術文献】
【特許文献】
【０００７】
【特許文献１】特開２０１６−８６７７９号公報
【特許文献２】特開２００６−１４７２７号公報
【特許文献３】特開２０１３−９６６０号公報
【特許文献４】特開２０１６−１４０２５４号公報
【発明の概要】
【発明が解決しようとする課題】
【０００８】
しかしながら、例えば、特許文献４のように、取付物（猫用踏み台）に完全固定のフックは、格子の横線材にフックを引っ掛けるため、装着場所が限定されてしまう。例えば、前記特許文献４は、猫用ケージに関するものであるが、このフックによる固定を、犬用ケージにおけるトイレの固定に適用したとしても、上述した課題は解決しない。一概にペット用ケージといっても多種多様で、例えば、ケージの格子を構成する線材（縦線材・横線材）についても太さや、間隔が様々である。このような場合、トイレ用トレイ本体サイズと格子の横線材の高さとの関係で問題が生じる。
【０００９】
図７を参照して具体的に説明する。図７には、ペット用ケージ１００と、その格子に装着されるペットトイレ用トレイ５００（以下「トレイ」）が示されている。前記格子は、複数の横線材１２０と、複数の縦線材１３０により構成されている。前記トレイ５００は、トレイ本体５０２の裏面５０４の４隅に、固定式のフック５０６Ａ〜５０６Ｄを有している。このような固定式のフックを用いた構造では、図７(A)に示すように、取り付けようとする部分の横線材１２０Ａが、トレイ本体５０２に対して高すぎると、トレイ本体の装着場所も高くなり、底面１０２とトレイ下部に隙間５１０が生じる。逆に図７(B)に示すように、取り付けようとする部分の横線材１２０Ｂの位置が低いと、前記裏面５０４に設けたフック５０６Ｂ，５０６Ｄが、横線材１２０Ｂに引っ掛からず、トレイ５００を格子に固定できないという課題が生じる。また、図７(C)に示すように、縦格子１３０間の間隔によっては、フック５０６Ａ，５０６Ｃを、横線材１２０Ａにかけるための障害となってしまう。
【００１０】
本発明は、以上のような点に着目したもので、ペット用ケージの格子を構成する線材の太さや間隔等を問わず、前記格子の線材に固定することができるペットトイレ用トレイを提供することを、その目的とする。
【課題を解決するための手段】
【００１１】
本発明は、ペット用ケージに取り付けられるペットトイレ用のトレイであって、ペットトレイ用のシートを着脱可能に保持するトレイ本体と、該トレイ本体の一方の主面側に設けられており、前記シートを着脱可能に保持するシート保持手段と、前記トレイ本体の他方の主面側に設けられており、前記ケージの格子を構成する線材に係合する複数のフック手段と、を備えるとともに、前記複数のフック手段が、前記トレイ本体に対して可動であることを特徴とする。
【００１２】
主要な形態の一つは、前記フック手段が、前記ケージの格子を構成する線材に係合するフック本体と、該フック本体に対して略直交する軸部と、を有しており、前記トレイ本体の他方の主面側に、前記軸部を回転可能に支持する筒状の受部、を設けたことを特徴とする。
【００１３】
他の主要な形態の一つは、前記フック手段が、前記ケージの格子を構成する線材に係合するフック本体と、該フック本体に対して略直交する軸部と、該軸部に対して略直交し、該軸部よりも面積が大きい可動部と、を有しており、前記トレイ本体の他方の主面側に、前記可動部を、前記格子を構成する線材の延長方向と同方向にスライド可能に支持するレール状の受部、を設けたことを特徴とする。他の形態の一つは、前記受部に、前記可動部を前記受部の延長方向に沿って付勢する付勢手段を設けたことを特徴とする。
【００１４】
更に他の形態の一つは、前記レール状の受部が、略平行に一対設けられ、前記フック本体が、前記一対のレール状の受部の両端にそれぞれ一対設けられていることを特徴とする。更に他の形態の一つは、前記一対のフック本体のうちの一方が、前記トレイ本体に対してスライド可能であり、前記一対のフック本体のうちの他方が、前記受部に対して固定であることを特徴とする。更に他の形態の一つは、前記受部に対して固定であるフック本体の先端に、ローラを設けたことを特徴とする。
【００１５】
更に他の形態の一つは、前記一対のレール状の受部が、延長方向に複数に分割されており、該分割された各受部のそれぞれに前記フック本体が設けられていることを特徴とする。更に他の形態の一つは、前記複数のフック本体のうち、少なくとも一つが、前記トレイ本体に対して回転可能であることを特徴とする。本発明の前記及び他の目的，特徴，利点は、以下の詳細な説明及び添付図面から明瞭になろう。
【発明の効果】
【００１６】
本発明によれば、ペット用ケージに取り付けられるペットトイレ用のトレイにおいて、ペットトイレ用のシートを着脱可能に保持するトレイ本体と、該トレイ本体の一方の主面側に設けられており、前記シートを着脱可能に保持するシート保持手段と、前記トレイ本体の他方の主面側に設けられており、前記ケージの格子を構成する線材に係合する複数のフック手段と、を備えるとともに、前記複数のフック手段が、前記トレイ本体に対して可動であることとした。このため、前記ケージを構成する線材の太さや間隔等にかかわらず、ペットの排泄に応じた適切な位置に、ペットトイレ用トレイをケージに装着することができるという効果がある。
【図面の簡単な説明】
【００１７】
【図１】本発明の実施例１のトイレ用トレイを示す図であり、(A)はシート側から見た外観斜視図，(B)はトレイ裏面側から見た外観斜視図，(C)は前記(A)を矢印ＦＡ方向から見た側面図である。
【図２】図２(A)は前記実施例１のフック部の分解斜視図，図２(B)は実施例１の変形例のフック部の分解斜視図である。
【図３】前記実施例１のトイレ用トレイをケージに取り付けた状態を示す図である。
【図４】前記実施例１のトイレ用トレイのケージ内の配置例であり、(A)は斜視図，(B)は平面図である。
【図５】本発明の実施例２のトイレ用トレイを示す図であり、(A)はトレイ裏面側から見た外観斜視図，(B)はフック部の平面図，(C)は前記(B)を＃Ａ−＃Ａ線に沿って切断し矢印方向に見た断面図，(D)は前記(B)を矢印ＦＣ方向から見た側面図，(E)は変形例のフック部の側面図，(F)は他の変形例のトイレ用トレイを裏面側から見た外観斜視図である。
【図６】本発明の実施例３を示す図であり、(A)は全体構成を示す外観斜視図，(B)はフック部の平面図，(C)はフック部の変形例を示す平面図である。
【図７】背景技術の一例を示す図である。
【発明を実施するための形態】
【００１８】
以下、本発明を実施するための最良の形態を、実施例に基づいて詳細に説明する。
【実施例１】
【００１９】
最初に、図１〜図４を参照しながら、本発明の実施例１を説明する。本実施例では、本発明のペットトイレ用トレイ（以下「トレイ」とする）を犬用ケージ内に取り付ける場合を例に挙げて説明する。図１は、本実施例のトイレ用トレイを示す図であり、(A)はシート側から見た外観斜視図，(B)はトレイ裏面側から見た外観斜視図，(C)は前記(A)を矢印ＦＡ方向から見た側面図である。図２(A)は前記実施例１のフック部の分解斜視図，図２(B)は変形例のフック部の分解斜視図である。図３は、本実施例のトイレ用トレイをケージに取り付けた状態を示す図である。図４は、本実施例のトイレ用トレイのケージ内の配置例であり、(A)は斜視図，(B)は平面図である。
【００２０】
図１(A)及び(B)に示すように、本実施例のトレイ１０は、略長方形のトレイ本体１２の一方の主面１２Ａ側に、トイレシート１８を保持する開閉枠１４が設けられている。前記開閉枠１４は、長辺の一方側に設けられた開閉具１６により、前記トレイ本体１２に対して開閉可能となっており、前記トレイ本体１２との間にトイレシート１８を挟み、取り換え可能に装着する。前記トレイ本体１２としては、公知の各種のものが利用できる。また、トイレシート１８も、吸水性を有するものであればよく、公知の各種のトイレシート１８を利用してもよい。
【００２１】
本実施例では、前記トレイ本体１２の他方の主面１２Ｂの４つの角近傍に、フック２０，３０，４０，５０が設けられている。前記フック２０，３０，４０，５０は、略半円型板状のフック本体２２，３２，４２，５２と、該フック本体に対して略直交する軸部２４，３４，４４，５４と、これら軸部の外周に設けられたリング状の突起部２６，３６，４６，５６により構成される。図示の例では、前記フック本体２２，３２，４２，５２は、略半円状となっており、フック本体自体を回転させるためのつまみとして利用することができる。なお、図２(A)に示す例では、フック本体２２は、略半円状となっているが、図２(B)に示すフック部２０Ａのように、フック本体２２Ａを長円状としてもよいし、楕円状としてもよい。他の位置に設けられるフック本体の形状についても同様である。
【００２２】
前記トレイ本体１２の他方の主面１２Ｂ側には、前記フック２０，３０，４０，５０の軸部２４，３４，４４，５４を回転可能に支持する筒状の受部６０，７０，８０，９０が設けられている。該受部６０，７０，８０，９０の外周には、前記フック２０，３０，４０，５０の軸部２４，３４，４４，５４の突起２６，３６，４６，５６が嵌合するリング状の突起収容部６２，７２，８２，９２が設けられている。なお、図示の例では、前記受部６０，７０，８０，９０を、トレイ本体１２の主面１２Ｂに直接形成することとしているが、筒状の受部を有する他の部材を、前記主面１２Ｂに後付けで取り付けるようにしてもよい。
【００２３】
以上のような構成のトレイ１０は、例えば、図４に示すように、ペット用ケージ１００の内側に取り付けられる。前記ペット用ケージ１００は、底面１０２と、格子状の側面１０４〜１１０とにより構成されている。必要に応じて上面も設けられる。本実施例では、側面１０８に、ペットが出入りするための図示しない入口が設けられている。このようなケージ１００の任意の場所に、トレイ１０Ａ〜１０Ｃを設ける。図４(B)に示す例では、側面１０４，１０６，１１０にトレイ１０Ａ，１０Ｂ，１０Ｃが設けられており、底面１０２には通常のトイレシート１８が敷かれている。このように、必要に応じて３面を囲うようにトレイを配置することで、尿の飛び散りをより効果的に防ぐことができる。
【００２４】
図３(A)には、ケージ１００の側面１０４に取り付ける前のトレイ１０のフック側の主面１２Ｂが示されている。側面１０４の格子は、横線材１２０Ａ，１２０Ｂと、多数の縦線材１３０により構成されている。図３(A)に示す状態では、フック２０，３０，４０，５０は、いずれの線材にも係合していないが、図３(B)に示すように、軸部２４，３４，４４，５４を中心にフック本体２２，３２，４２，５２を回転させると、フック本体２２，３２，４２，５２がそれぞれ縦線材１３０に係合し、トレイ１０が側面１０４の格子に固定される。取り外すときは、フック本体２２，３２，４２，５２と縦線材１３０との係合を解除すればよい。
【００２５】
また、ケージ１００への取り付けは、縦線材へのフックの係合のみに限定されるものではなく、線材の間隔等によって、図３(C)の左側に示すフック４０のように、横線材１２０Ａに係合させるようにしてもよい。あるいは、図３(C)の右側に示すフック２０のように、縦線材１３０に係合させるようにしてもよく、線材の太さや位置に応じて、係合可能な線材と係合させればよい。また、図３(D)に示す例のように、底面１０２にトレイ１０の位置を合わせる場合には、フック４０，５０を、一番端の縦線材に１３０にかけることで、トレイ１０の位置を端に固定することが可能である。
【００２６】
このように、実施例１によれば、トイレシート１８を着脱可能に保持するトレイ本体１２の一方の主面１２Ｂの角部近傍に、前記主面１２Ｂに対して回転可能なフック２０，３０，４０，５０を設けることとした。このため、ケージ１００を構成する線材（横線材・縦線材）の太さや間隔等にかかわらず、ペットの排泄動作に応じた適切な位置に、トレイ１０を固定できるという効果がある。また、フック本体２２，３２，４２，５２が、回転するため、必要に応じて横線材，縦線材のいずれか又は双方の線材にフックを係合させることができ、装着位置の選択性も高い。
【実施例２】
【００２７】
次に、図５を参照しながら、本発明の実施例２を説明する。なお、上述した実施例１と同一ないし対応する構成要素には同一の符号を用いることとする（以下の実施例についても同様）。前記実施例１は、フック手段がトレイ本体の主面に対して回転する構成としたが、本実施例は、フック手段が、トレイ本体の主面に対してスライドする構成となっている。図５(A)は、本実施例のトレイをトレイ裏面側から見た外観斜視図，図５(B)はフック部の平面図，図５(C)は前記(B)を＃Ａ−＃Ａ線に沿って切断し矢印方向に見た断面図，図５(D)は前記(B)を矢印ＦＣ方向から見た側面図，図５(E)は変形例のフック部の側面図である。
【００２８】
本実施例のトレイ２００は、トレイ本体１２の一方の主面１２Ｂ側に、一対のレール部材２５０，２６０を有し、一方のレール部材２５０の両端側にフック２１０，２２０を設け、他方のレール部材２６０の両端側に、フック２３０，２４０を有する構成となっている。前記一対のレール２５０，２６０は、図示の例では、長方形のトレイ本体１２の長辺方向に沿って設けられている。図５(A)〜(D)に示すように、前記フック２１０，２２０，２３０，２４０は、略半円状のフック本体２１２，２２２，２３２，２４２と、これらと直交する軸部２１４，２２４，２３４，２４４と、これら軸部と略直交し、かつ、軸部よりも面積が広い可動部２１６，２２６，２３６，２４６により構成されている。前記レール部材２５０の主面２５０Ａ側には、前記可動部２１６，２２６，２３６，２４６をスライド可能に保持するレール状の受部２５２が形成されている。他方のレール部材２６０にも、同様にレール状の受部２６２が形成されている。
【００２９】
このように、本実施例によれば、フック２１０，２２０，２３０，２４０を、トレイ本体１２の長辺方向にスライド可能としたので、格子を構成する横線材１２０Ａ，１２０Ｂの間隔に合わせて、フック２１０，２２０，２３０，２４０の位置を調節して、適切な位置で横線材１２０Ａ，１２０Ｂにかけることができる。なお、図５(E)に示す例のように、前記受部２５２にスプリング２７０を設け、前記可動部２１６を付勢するようにしておけば、線材にかけるときに引っ張り、その後、手を離せば適切な位置でフックが線材に係合する。
【実施例３】
【００３０】
次に、図６を参照しながら、本発明の実施例３を説明する。本実施例も、前記実施例２と同様に、フック手段がトレイ本体の主面に対してスライドする構成となっている。図６(A)は、本実施例のトレイをトレイ裏面側から見た外観斜視図，図６(B)はフック部の平面図，図６(C)は変形例のフック部の平面図である。
【００３１】
本実施例のトレイ３００は、トレイ本体１２の一方の主面１２Ｂ側に、一対のフック部材３１０，３２０を有している。該一対のフック部材３１０，３２０は、トレイ本体１２の長辺方向に沿って設けられている。フック部材３１０，３２０は、ケース３１２，３２２と、該ケース３１２，３２２の内側に形成されたレール３１４，３２４と、該レール３１４，３２４に沿ってスライドする可動部３１６，３２６により構成されている。本実施例では、前記可動部３１６，３２６の一端側にフック３３０，３５０が形成されており、ケース３４０，３６０の一端側にフック３４０，３６０が設けられている。すなわち、本実施例では、下側のフック３４０，３６０は、トレイ本体１２に対して固定式であり、上側のフック３３０，３５０が可動式である。なお、図６(C)に示すフック部材３１０Ａは、フック３４０Ａの先端にローラ３４２を備えた構成となっており、これにより、固定側のフックでも格子を構成する線材に着脱しやすくなる。
【００３２】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例で示した材料も一例であり、同様の効果を奏する範囲内で適宜変更可能である。
(3)フック部材を受ける受部材は、トレイ本体と一体に形成してもよいし、後付けで取り付けるようにしてもよい。
【００３３】
(4)前記実施例では、フックは回転かスライドのいずれかのみとしたが、回転とスライドの双方が可能な可動構成としてもよいし、スライドする場合には、その可動範囲を一定の範囲に規定するようにしてもよい。例えば、図５(F)に示すトレイ２００Ａは、前記実施例２の変形例であって、フック２１０〜２４０Ｄがスライド可能かつ回転可能な構成となっている。また、スライド範囲が、長手方向の一定範囲に限られている。すなわち、トレイ主面１２Ｂに、所定の長さの４つのレール部材２５０Ａ，２５０Ｂ，２６０Ａ，２６０Ｂを設け、それぞれのレール部材にフック２１０Ａ，２２０Ａ，２３０Ａ，２４０Ａを設けている。図示の例では、フック２４０Ａは、レール２６２Ｂに沿って可動する可動部２４６に軸部２４４Ａが固定されているが、該軸部２４４Ａに対してフック本体２４２Ａが回転可能となっている。他のフック２１０Ａ，２２０Ａ，２３０Ａについても同様である。このように、回転とスライドを兼ねる構成とすることにより、ケージへの装着の自由度がより高くなる。
【００３４】
(5)前記実施例２で示したスプリング２７０は一例であり、公知の各種の付勢手段を用いてよい。むろん、付勢手段は必要に応じて設ければよい。
(6)前記実施例２及び実施例３では、トレイの長辺方向にレールを形成したが、これも一例であり、短辺方向にレールを形成してもよい。
(7)図３に示した装着例や、図４に示したケージ内での配置例も一例であり、必要に応じて適宜変更してよい。
(8)本発明のトレイは、一枚のみ用いてもよいし、必要に応じて２枚、３枚と利用し、縦３面を覆うようにしてもよい。
(9)本発明は、雄犬用のトレイが好適な適用例であるが、これも一例であり、ペットの性別や種類を問わず、本発明は、ペット用ケージ全般に適用可能である。
【産業上の利用可能性】
【００３５】
本発明によれば、ペット用ケージに取り付けられるペットトイレ用のトレイにおいて、ペットトイレ用のシートを着脱可能に保持するトレイ本体と、該トレイ本体の一方の主面側に設けられており、前記シートを着脱可能に保持するシート保持手段と、前記トレイ本体の他方の主面側に設けられており、前記ケージの格子を構成する線材に係合する複数のフック手段と、を備えるとともに、前記複数のフック手段が、前記トレイ本体に対して可動であることとした。このため、前記ケージを構成する線材の太さや間隔等にかかわらず、ペットの排泄の位置に応じた適切な位置に、ペット用ページの線材を利用して装着することができ、ペット用ケージ内に装着されるペットトイレ用トレイの用途に適用できる。特に、シートを立てた部分の位置がずれないため、片足を挙げて排尿をする雄犬用のトイレトレイの用途に好適である。
【符号の説明】
【００３６】
１０，１０Ａ〜１０Ｃ：ペットトイレ用トレイ（トレイ）
１２：トレイ本体
１２Ａ，１２Ｂ：主面
１４：開閉枠
１６：開閉具
１８：トイレシート
２０，２０Ａ，３０，４０，５０：フック
２２，２２Ａ，３２，３２Ａ，４２，４２Ａ，５２，５２Ａ：フック本体
２４，３４，４４，５４：軸部
２６，３６，４６，５６：突起
６０，７０，８０，９０：受部
６２，７２，８２，９２：突起収容部
１００：ペット用ケージ
１０２：底面
１０４，１０６，１０８，１１０：側面
１２０，１２０Ａ，１２０Ｂ：横線材
１３０：縦線材
２００，２００Ａ：ペットトイレ用トレイ（トレイ）
２１０，２１０Ａ，２２０，２２０Ａ，２３０，２３０Ａ，２４０，２４０Ａ：フック
２１２，２２２，２３２，２４２，２４２Ａ：フック本体
２１４，２２４，２３４，２４４，２４４Ａ：軸部
２１６，２２６，２３６，２４６：可動部
２５０，２５０Ａ，２５０Ｂ，２６０，２６０Ａ，２６０Ｂ：レール部材
２５０Ａ，２５０Ｂ，２６０Ａ，２６０Ｂ：主面
２５２，２５２Ａ，２５２Ｂ，２６２，２６２Ａ，２６２Ｂ：レール
２７０：スプリング
３００：ペットトイレ用トレイ（トレイ）
３１０，３１０Ａ，３２０：フック部材
３１２，３２２：ケース
３１４，３２４：レール
３１６，３２６：可動部
３３０，３４０，３４０Ａ，３５０，３６０：フック
３４２，３６２：ローラ
５００：ペットトイレ用トレイ
５０２：トレイ本体
５０４：裏面
５０６Ａ〜５０６Ｄ：フック
５１０：隙間
【図１】
2018153149.tif 000003
【図２】
2018153149.tif 000004
【図３】
2018153149.tif 000005
【図４】
2018153149.tif 000006
【図５】
2018153149.tif 000007
【図６】
2018153149.tif 000008
【図７】
2018153149.tif 000009
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ペット用ケージに取り付けられるペットトイレ用のトレイであって、
ペットトレイ用のシートを着脱可能に保持するトレイ本体と、
該トレイ本体の一方の主面側に設けられており、前記シートを着脱可能に保持するシート保持手段と、
前記トレイ本体の他方の主面側に設けられており、前記ケージの格子を構成する線材に係合する複数のフック手段と、
を備えるとともに、
前記複数のフック手段が、
前記トレイ本体に対して可動であって、
前記ケージの格子を構成する線材に係合するフック本体と、
該フック本体に対して略直交する軸部と、
を有しており、
前記トレイ本体の他方の主面側に、
前記軸部を回転可能に支持する筒状の受部、
を設けたことを特徴とするペットトイレ用トレイ。
【請求項２】
ペット用ケージに取り付けられるペットトイレ用のトレイであって、
ペットトレイ用のシートを着脱可能に保持するトレイ本体と、
該トレイ本体の一方の主面側に設けられており、前記シートを着脱可能に保持するシート保持手段と、
前記トレイ本体の他方の主面側に設けられており、前記ケージの格子を構成する線材に係合する複数のフック手段と、
を備えるとともに、
前記複数のフック手段が、
前記トレイ本体に対して可動であって、
前記ケージの格子を構成する線材に係合するフック本体と、
該フック本体に対して略直交する軸部と、
該軸部に対して略直交し、該軸部よりも面積が大きい可動部と、
を有しており、
前記トレイ本体の他方の主面側に、
前記可動部を、前記格子を構成する線材の延長方向と同方向にスライド可能に支持するレール状の受部、
を設けたことを特徴とするペットトイレ用トレイ。
【請求項３】
前記受部に、
前記可動部を前記受部の延長方向に沿って付勢する付勢手段を設けたことを特徴とする請求項２記載のペットトイレ用トレイ。
【請求項４】
前記レール状の受部が、略平行に一対設けられ、
前記フック本体が、前記一対のレール状の受部の両端にそれぞれ一対設けられていることを特徴とする請求項２又は３記載のペットトイレ用トレイ。
【請求項５】
前記一対のフック本体のうちの一方が、前記トレイ本体に対してスライド可能であり、
前記一対のフック本体のうちの他方が、前記受部に対して固定であることを特徴とする請求項４記載のペットトイレ用トレイ。
【請求項６】
前記受部に対して固定であるフック本体の先端に、ローラを設けたことを特徴とする請求項２〜５のいずれか一項に記載のペットトイレ用トレイ。
【請求項７】
前記一対のレール状の受部が、延長方向に複数に分割されており、該分割された各受部のそれぞれに前記フック本体が設けられていることを特徴とする請求項２又は３記載のペットトイレ用トレイ。
【請求項８】
前記複数のフック本体のうち、少なくとも一つが、前記トレイ本体に対して回転可能であることを特徴とする請求項２〜７のいずれか一項に記載のペットトイレ用トレイ。
【手続補正２】
【補正対象書類名】明細書
【補正対象項目名】００１１
【補正方法】変更
【補正の内容】
【００１１】
本発明は、ペット用ケージに取り付けられるペットトイレ用のトレイであって、ペットトレイ用のシートを着脱可能に保持するトレイ本体と、該トレイ本体の一方の主面側に設けられており、前記シートを着脱可能に保持するシート保持手段と、前記トレイ本体の他方の主面側に設けられており、前記ケージの格子を構成する線材に係合する複数のフック手段と、を備えるとともに、前記複数のフック手段が、前記トレイ本体に対して可動であって、前記ケージの格子を構成する線材に係合するフック本体と、該フック本体に対して略直交する軸部と、を有しており、前記トレイ本体の他方の主面側に、前記軸部を回転可能に支持する筒状の受部、を設けたことを特徴とする。
【手続補正３】
【補正対象書類名】明細書
【補正対象項目名】００１２
【補正方法】変更
【補正の内容】
【００１２】
他の発明は、ペット用ケージに取り付けられるペットトイレ用のトレイであって、
ペットトレイ用のシートを着脱可能に保持するトレイ本体と、該トレイ本体の一方の主面側に設けられており、前記シートを着脱可能に保持するシート保持手段と、前記トレイ本体の他方の主面側に設けられており、前記ケージの格子を構成する線材に係合する複数のフック手段と、を備えるとともに、前記複数のフック手段が、前記トレイ本体に対して可動であって、前記ケージの格子を構成する線材に係合するフック本体と、該フック本体に対して略直交する軸部と、該軸部に対して略直交し、該軸部よりも面積が大きい可動部と、を有しており、前記トレイ本体の他方の主面側に、前記可動部を、前記格子を構成する線材の延長方向と同方向にスライド可能に支持するレール状の受部、を設けたことを特徴とする。
【手続補正４】
【補正対象書類名】明細書
【補正対象項目名】００１３
【補正方法】変更
【補正の内容】
【００１３】
他の主要な形態の一つは、前記受部に、前記可動部を前記受部の延長方向に沿って付勢する付勢手段を設けたことを特徴とする。
【手続補正５】
【補正対象書類名】明細書
【補正対象項目名】００１６
【補正方法】変更
【補正の内容】
【００１６】
本発明によれば、ペット用ケージに取り付けられるペットトイレ用のトレイにおいて、ペットトイレ用のシートを着脱可能に保持するトレイ本体と、該トレイ本体の一方の主面側に設けられており、前記シートを着脱可能に保持するシート保持手段と、前記トレイ本体の他方の主面側に設けられており、前記ケージの格子を構成する線材に係合する複数のフック手段と、を備えるとともに、前記複数のフック手段が、前記トレイ本体に対して回転可能ないしスライド可能とした。このため、前記ケージを構成する線材の太さや間隔等にかかわらず、ペットの排泄に応じた適切な位置に、ペットトイレ用トレイをケージに装着することができるという効果がある。
【手続補正６】
【補正対象書類名】明細書
【補正対象項目名】００３５
【補正方法】変更
【補正の内容】
【００３５】
本発明によれば、ペット用ケージに取り付けられるペットトイレ用のトレイにおいて、ペットトイレ用のシートを着脱可能に保持するトレイ本体と、該トレイ本体の一方の主面側に設けられており、前記シートを着脱可能に保持するシート保持手段と、前記トレイ本体の他方の主面側に設けられており、前記ケージの格子を構成する線材に係合する複数のフック手段と、を備えるとともに、前記複数のフック手段が、前記トレイ本体に対して回転可能ないしスライド可能とした。このため、前記ケージを構成する線材の太さや間隔等にかかわらず、ペットの排泄の位置に応じた適切な位置に、ペット用ページの線材を利用して装着することができ、ペット用ケージ内に装着されるペットトイレ用トレイの用途に適用できる。特に、シートを立てた部分の位置がずれないため、片足を挙げて排尿をする雄犬用のトイレトレイの用途に好適である。